(57)【特許請求の範囲】
【請求項１】
ガス入口およびガス出口を有し、前記ガス入口と前記ガス出口との間にガス流路を形成するハウジングと、
前記ガス流路を横切って前記ハウジングに配置されたガスフィルタと、
を備えるガスフィルタアセンブリであって、
前記ガスフィルタが、
長手方向に延びる山頂および谷底と、各山頂から隣接する谷底へ延びるひだ脚部対とを有する複数のひだを含むひだ付きフィルタパックであり、上流側表面と、下流側表面と、当該フィルタパックの前記上流側表面から前記下流側表面へ流れるガスから粒子を除去するように配設されたひだ付き繊維フィルタ媒体とを有する、ひだ付きフィルタパックと、
前記フィルタパックの前記上流側表面に沿った互いに隣接するひだ脚部間に配置され、前記ひだ付きフィルタパックの前記上流側表面に接合された固化接合材料を含むスペーサ構成体と、
前記フィルタパックの前記下流側表面に沿った互いに隣接するひだ脚部間に配置されたインサートスペーサと、
を含み、
前記スペーサ構成体は、前記フィルタパックの前記上流側表面に沿って延び固化接合材料からなる互いに間隔を空けて設けられた平行ビードを備え、前記平行ビードが、互いに隣接するひだ脚部間にガス流チャネルを形成し、
前記インサートスペーサは、波形の金属またはポリマーシートを備え、当該波形は前記スペーサ構成体の前記平行ビードに対して略平行に延びており、
互いに隣接するひだ脚部の間隔は、前記下流側表面に沿って前記インサートスペーサによって空けられたものより、前記上流側表面に沿って前記スペーサ構成体によって空けられたもののほうが大きく、且つ、前記上流側表面における前記スペーサ構成体の隣接する平行ビーズ間の距離が、前記下流側表面における前記インサートスペーサの隣接する波形間の距離よりも大きい、
ガスフィルタアセンブリ。
【請求項２】
前記固化接合材料からなる前記ビードが、前記フィルタパックの前記上流側表面に沿ってひだからひだへ連続して延びる、請求項１に記載のガスフィルタアセンブリ。
【請求項３】
前記固化接合材料がホットメルト材料を含む、請求項１又は２に記載のガスフィルタアセンブリ。
【請求項４】
前記波形金属スペーサが、前記ひだ付きフィルタパックの前記山頂および前記谷底に略垂直に延びる波形である、請求項１〜３の何れか一項に記載のガスフィルタアセンブリ。
【請求項５】
前記ひだ付き繊維フィルタ媒体が、前記上流側表面および前記下流側表面を有し、前記固化接合材料が、互いに隣接するひだ脚部間に配置され、前記繊維フィルタ媒体の前記上流側表面に接合された複数のホットメルトスペーサビードを含み、前記複数のホットメルトスペーサビードが、前記ガス流チャネルを形成するように互いに間隔を空けて設けられる、請求項１に記載のガスフィルタアセンブリ。
【請求項６】
互いに隣接する前記ホットメルトビード間の前記距離が、前記波形インサートスペーサの互いに隣接する波形間の距離の少なくとも２倍である、請求項５に記載のガスフィルタアセンブリ。
【請求項７】
前記ハウジングが略直方体の形状を有する、請求項１〜６のいずれか一項に記載のフィルタアセンブリ。
【請求項８】
請求項１〜７のいずれか一項に記載のガスフィルタアセンブリを通るように航空機の機内空間からの空気を向けるステップと、濾過された前記空気を前記機内空間に戻すステップとを含む、航空機の機内空間から粒子を除去するための方法。
【発明の詳細な説明】
【発明の要旨】
【０００１】
[0001]本発明は、多く環境のいずれかにおいて多種多様なガスから粒子状物質および他の汚染物質を除去するために使用され得るガスフィルタアセンブリおよびガスの濾過方法に関する。粒子状物質としては、塵粒子、埃粒子、煤粒子、煙粒子および繊維粒子を含む様々なタイプの微小固体粒子等である。粒子状物質としては、また、ウォーターミストやオイルミストを含む様々なタイプの液体エアロゾル粒子等を含んでいてもよい。
【０００２】
[0002]工業ガスや燃焼ガスを含む多くの様々なガスには粒子状汚染物質が含まれていることがあり、本発明を具現化したガスフィルタアセンブリおよびガスの濾過方法は、これらのガスのいずれかから粒子状物質を除去するのに非常に効果的である。特に、本発明の実施形態は、空気等の呼吸可能ガスから粒子状物質を除去するのに効果的である。粒子状物質を除去し、清浄で健康的な呼吸環境を提供するために、例えば、住宅、会社、病院、クリーンルームまたは車両、列車、船、航空機もしくは宇宙船の室内空間や機内空間を循環する呼吸可能ガスが、本発明を具現化したガスフィルタアセンブリを通るように導かれるとよい。特に、航空機の機内空間の空気を、本発明を具現化したガスフィルタアセンブリを通るように導き、航空機の機内空間に戻して、航空機の乗客に清浄で健康的な空気を供給するようにすることができる。
【発明の概要】
【０００３】
[0003]本発明の一態様によれば、ガスフィルタアセンブリは、ハウジングと、ガスフィルタとを備えるものとすることができる。ハウジングは、ガス入口およびガス出口を有し、ガス入口とガス出口との間にガス流路が形成される。ガス流路を横切ってハウジングに配置されたガスフィルタは、ひだ付きフィルタパックを備えるものとすることができる。ひだ付きフィルタパックは、長手方向に延びる山頂および谷底を有する複数のひだと、各山頂から隣接する谷底へ延びるひだ脚部対とを含む。ひだ付きフィルタパックは、上流側表面と、下流側表面と、フィルタパックの上流側表面から下流側表面に流れるガスから粒子を除去するように配設されたひだ付き繊維フィルタ媒体とをさらに含む。ガスフィルタはまた、フィルタパックの上流側表面に沿った互いに隣接するひだ脚部間に配置されたスペーサ構成体と、フィルタパックの下流側表面に沿った互いに隣接するひだ脚部間に配置されたインサートスペーサとを含む。スペーサ構成体は、フィルタパックの上流側表面に接合された固化接合材料を含むものとすることができる。
【０００４】
[0004]本発明の別の態様によれば、ガスフィルタアセンブリは、ハウジングと、ひだ付き繊維フィルタ媒体とを備えるものとしてもよい。ハウジングは、ガス入口およびガス出口を有し、ガス入口とガス出口との間にガス流路が形成される。ガス流路を横切ってハウジングに配置されたひだ付き繊維フィルタ媒体は、上流側表面と、下流側表面と、複数のひだとを含む。ひだは、長手方向に延びる山頂および谷底と、各山頂から隣接する谷底へ延びるひだ脚部対とを含む。ひだ付き繊維フィルタ媒体は、フィルタ媒体の上流側表面から下流側表面へ流れるガスから粒子を除去するように配設される。ガスフィルタアセンブリは、互いに隣接するひだ脚部間に配置されフィルタ媒体の上流側表面に接合された複数のホットメルトスペーサビードと、フィルタ媒体の下流側表面に沿った互いに隣接するひだ脚部間に配置された波形インサートスペーサとをさらに含む。複数のホットメルトスペーサビードは、フィルタ媒体の上流側表面に沿った互いに隣接するひだ脚部間に延びるガス流チャネルを形成するように互いに間隔を空けて設けられる。
【０００５】
[0005]本発明を具現化したガスフィルタアセンブリには多くの利点がある。例えば、本発明の実施形態は、ガスから粒子状物質を効率的に除去するだけでなく、交換されるまで大量の粒子状物質を捕捉し保持可能である。結果的に、本発明を具現化したガスフィルタアセンブリは、長い耐用寿命の間に粒子状物質を効率的に除去することができ、これにより信頼性の向上、休止時間の短縮が図られ、ガスフィルタアセンブリの交換回数の減少による無駄が減る。
【図面の簡単な説明】
【０００６】
【図１】ガスフィルタアセンブリの上流側の一部分の図である。
【図２】図１のガスフィルタアセンブリの下流側の一部分の図である。
【図３】図１および図２のひだ付きガスフィルタの拡大斜視図である。
【発明を実施するための形態】
【０００７】
[0009]本発明を具現化したガスフィルタアセンブリは、多種多様な態様で構成され得る。図１〜図３に、ガスフィルタアセンブリの多くの様々な例の１つを示す。一般に、ガスフィルタアセンブリ１０は、ハウジング１１と、ガスフィルタ１２とを含む。ハウジング１１は、ガス入口１３およびガス出口１４を有し、ガス入口１３とガス出口１４との間のハウジング１１の内部にガス流路を形成している。ガスフィルタ１２は、粒子状物質を除去するための多孔性ひだ付きフィルタ媒体１５を有し、ガス流路を横切ってハウジング１１に配置される。粒子状物質を含有するガスは、ガス入口１３を通ってハウジング１１内に流れ、ガス流路に沿ってガスフィルタ１２のひだ付きフィルタ媒体１５を通って流れる。フィルタガスがガス出口１４を介してハウジング１１から流出している間、粒子状物質はフィルタ媒体１５によって捕捉されそこで保持される。
【０００８】
[0010]ハウジングは、金属を含む種々の材料から形成され、数多くの態様のうちのいずれかで構成され得る。例えば、ハウジングは、内部と流体的に連通するガス入口およびガス出口として機能する少なくとも２つの開口を有する、うつわ（ｖｅｓｓｅｌ）やプレナムのような容器とすることができる。さらに、ハウジングは、種々の規則的または不規則的な形状および色々なサイズのいずれでもよく、ガス入口およびガス出口は、ハウジングの同じ側および異なる側にあってもよい。例えば、ハウジングは、略円筒状または箱状のものであってもよい。図示実施形態においては、ハウジング１１は、Ｕ字型のチャネルフレーム部材を有するフレーム１６を備え、例えば、直方体として構成されており、ガス入口１３およびガス出口１４として機能する開口面を両側に有している。ガスフィルタは、種々の態様でハウジング内部に配置され得る。例えば、ガスフィルタは、埋込み用樹脂によってハウジングに対して密封されてもよい。
【０００９】
[0011]ガスフィルタは、多数の構成のいずれかを有するひだ付きフィルタパックを含むものとすることができる。例えば、ひだ付きフィルタパックは、中空の略円筒状の構成を有してもよい。図示実施形態において、ひだ付きフィルタパック２０は箱状またはパネル構成を有する。ひだ付きフィルタ媒体１５を含むひだ付きフィルタパック２０は、上流側表面２１および下流側表面２２を有し、複数の長手方向に延びるひだ２３を含む。ひだ２３は、山頂２４および谷底２５と、各山頂２４から隣接する谷底２５へ延びる一対のひだ脚部２６とを有する。ひだの高さはどのようなものであってもよい。多くの実施形態において、ひだの高さは、約１インチ以下から約６インチ以上までのものである。実施形態によってはのひだ高さは、約４インチ〜約５インチの範囲のものである。ひだ付きフィルタパック２０は、多種多様な態様で構成され得る。例えば、ひだ付きフィルタパック２０は、フィルタ媒体１５の１つ以上の層および少なくとも１つのさらなる多孔性層を含むひだ付き多層構造を有するものとすることができる。このさらなる多孔性層は、数多くの機能のうちいずれかを発揮するものであるとよい。例えば、さらなる多孔性層は、支持層、米国特許第５，２５２，２０７号明細書に記載されるようなクッション層等のクッション層、および／または、米国特許第５，３０２，３５４号明細書に記載されるような化学汚染物質を除去するための吸着剤含有層等の浄化層等である。さらなる多孔性層は、ひだ付き多層複合体を形成するために、フィルタ媒体１５の上流および／または下流でフィルタ媒体１５とともにひだ付けされてもよい。しかしながら、多くの実施形態の場合、ひだ付きフィルタパック２０は、フィルタ媒体１５からなるひだ付き単層構造とすることができる。この場合、フィルタパック２０の上流側表面２１および下流側表面２２は、フィルタ媒体１５の上流側表面２１および下流側表面２２となる。多層構造より軽量である単層構造は、軽量化が利点となる例えば航空機等の機内空気濾過には特に有益である。
【００１０】
[0012]フィルタ媒体は、例えば、天然ポリマー、合成ポリマーおよび／またはガラスの繊維（フィラメントを含む）から形成された多孔性繊維織物または不織物媒体を備えるものとすることができる。繊維は、任意の所望の公称直径および長さを有するものとしてよい。フィルタ媒体は、例えば、バインダ樹脂、殺生物剤および／または難燃材を含む１つ以上のさらなる成分を含んでもよい。繊維フィルタ媒体は、任意の所望の除去等級を有してもよい。例えば、多くの実施形態は、ＨＥＰＡ等級またはそれ以上の微細さを有する繊維フィルタ媒体を含むが、他の実施形態では、ＨＥＰＡ等級より粗い除去等級を有する繊維フィルタ媒体を含んでもよい。いくつかの繊維フィルタ媒体に関して、フィルタ媒体の一方側、すなわち、ロフト側の方が、フィルタ媒体の反対側よりも開いた粒子状物質捕捉空間を与え得る。多くの実施形態において、繊維フィルタ媒体のロフト側は、繊維フィルタ媒体の上流側表面としてフィルタパックに配設される。
【００１１】
[0013]フィルタ媒体１５に加えて、ガスフィルタ１２は、フィルタパック２０の上流側表面２１に沿った互いに隣接するひだ脚部２６の１対以上、例えば、すべての対の間のスペーサ構成体２１と、フィルタパック２０の下流側表面２２に沿った互いに隣接するひだ脚部２６の１対以上、例えば、すべての対の間のインサートスペーサ３１とを備えるものとすることができる。スペーサ構成体２１は、フィルタパック２０の上流側表面２１に接続された固化接合材料からなるものとすることができる。フィルタ媒体１５がフィルタパック２０の唯一の層または最上流層である場合、固化接合材料は、フィルタ媒体１５の上流側表面２１に接合される。多くの実施形態において、固化接合材料は、粘性液体として上流側表面２１に塗布され得るホットメルト材料等であり、この材料は上流側表面２１と接合し、隣接するひだ脚部２６を互いに間隔を空けて設けるビード３２を形成するように固化される。ビード３２の厚さは、約０．０２５イン以下から約０．２００インチ以上までのものとすることができる。多くの実施形態において、ビードの厚さは、約０．０５０インチである。ホットメルト材料は、熱可塑性および／または熱硬化性材料を含んでもよい。例えば、ホットメルト材料は、ＥＶＣ（エチレン酢酸ビニル）樹脂、ポリオレフィン類、アモルファスポリオレフィン、ポリアミド類、ポリエステル類、熱可塑性ポリウレタン類、反応性ポリウレタンホットメルト（ＰＵＲ）、スチレンブロックコポリマー（例えば、ゴム系）、ポリカプロラクトン類、ポリカーボネート類、シリコーンゴム類および熱可塑性エラストマーを含んでもよい。米国特許第５，０８４，１７８号明細書および同第５，２５２，２０７号明細書には、ホットメルト系スペーサのいくつかの例が開示されている。
【００１２】
[0014]あるいは、固化接合材料は、例えば、フィルタ媒体の繊維より軟化点が低い固体熱可塑性材料を含んでもよい。実施形態によっては、固体熱可塑性材料のロッドが、互いに隣接するひだ脚部間のフィルタパックの上流側表面に適用され、軟化点まで加熱され、冷却される。軟化された熱可塑性材料は、冷却されるにつれ、上流側表面と接合し、再度固化して、互いに隣接するひだ脚部を互いに間隔を空けて設けるビードを形成する。
【００１３】
[0015]スペーサ構成体３０を構成する固化接合材料は、規則的または不規則な形状のどのようなもので上流側表面２１に適用されてもよい。例えば、固化接合材料は、略平行な細長い連続ビードまたは不連続ビード３２のアレイとして上流側表面に適用されてもよい。平行ビード３２は、上流側表面２１に沿った互いに隣接するひだ脚部２６間で山頂２４から谷底２５の方へ延びるガス流チャネルを形成してもよい。多くの実施形態において、平行ビード３２は、互いから均等な間隔を空けて設けられるとよく、互いに隣接するビード３２間の距離は略一定である。この距離は、約０．１２５インチ以下から約１．２５インチ以上までの範囲のものとすることができる。多くの実施形態において、この距離は、約０．７５インチ〜約１．２０インチの範囲のものであるのがよい。あるいは、平行ビードは、不均等な間隔を空けて設けられてもよい。多くの実施形態において、平行ビード３２は、長手方向に延びる山頂２４および谷底２５に略垂直な角度で上流側表面２１に沿って延びる。この場合、ひだ脚部２６に接合された固化接合材料の各ビード３２の部分は、図１に示すように、ひだ付きフィルタパック２０に沿ってひだ２３からひだ２３へ整列され積層される。あるいは、平行ビードは、長手方向に延びる山頂２４および谷底２５に対して９０°前後、例えば、±３０°の角度で上流側表面２１に沿って延びるようにしてもよい。実施形態によっては、平行ビード３２の１つ以上、例えば、すべてが、ひだ付きフィルタパック２０のひだ２３からひだ２３へ上流側表面２１に沿って連続的に延びるようにしてもよい。互いに隣接するひだ脚部２６に沿って延びる連続ビード３２の部分は、部分同士、および互いに隣接するひだ脚部２６の上流側表面２１と接触し接合されて、ひだ分離を防止するために追加の接着強度を与えることができる。この場合、上流側表面２１に沿った互いに隣接するひだ脚部２６間の間隔は、ビードの厚さの２倍に相当するものであるのがよい。他の実施形態において、平行ビードの１つ以上、例えば、すべては、ひだ付きフィルタパック２０のひだ２３からひだ２３へ上流側表面２１に沿って不連続的に延びてもよい。不連続ビードにあるギャップまたは破断部分は、山頂２４および／谷底２５でフィルタパック２０の折り目に設けられるとよい。さらに、上流側表面２１に沿った互いに隣接するひだ脚部２６の空間をより密にするために、不連続ビードの単一の部分のみが、山頂２４付近で始まり、谷底２５付近で終わるようにして、互いに隣接するひだ脚部２６間に延びるようにしてもよい。単一のビード部分は、両方の隣接するひだ脚部２６の上流側表面２１に接合されてもよい。この場合、上流側表面２１に沿った互いに隣接するひだ脚部２６間の間隔は、単一のビード厚さに相当するものとするのがよい。一般に、上流側表面２１の互いに隣接するひだ２３間の間隔は、約０．０３０インチ以下から約０．３７５インチ以上までの範囲のものである。多くの実施形態において、間隔は、約０．０８０インチ〜約０．１００インチの範囲のものである。
【００１４】
[0016]フィルタパック２０の下流側表面２２にあるインサートスペーサ３１は、互いに隣接するひだ脚部２６間でのガスの流れを過度に制限することなく、互いに隣接するひだ脚部２６間の間隔を維持するために多種多様な態様で構成され得る。例えば、インサートスペーサは、金属あるいはポリマーメッシュシートまたはガス流チャネルを有する薄い金属またはポリマープレートからなるものとすることができ、メッシュシートまたはチャネルプレートは、下流側表面にある互いに隣接するひだ脚部間に配置される。フィルタパック２０でひだが付けられていないインサートスペーサ３１は、隣接するひだ脚部２６の間からフィルタパック２０を出るガスを方向付けるために、フィルタパック２０の下流側表面２２と接するが、接合されても接合されなくてもよい。各インサートスペーサ３１は、山頂２４から対応する谷底２５まで、または対応する谷底２５を越えて延びてもよい。一般に、下流側表面２２にある互いに隣接するひだ２３間のインサートスペーサ３１によって与えられる間隔は、約０．０３０インチ以下から約０．３７５インチ以上までの範囲のものとすることができる。多くの実施形態において、間隔は、約０．０６０インチ〜約０．１００インチの範囲のものである。加えて、下流側表面２２にある互いに隣接するひだ２３間の間隔は、上流側表面にある互いに隣接するひだ２３間の間隔より狭くてもよい。
【００１５】
[0017]多くの実施形態において、インサートスペーサ３１は、薄い波形の金属またはポリマーシート、例えば、波形アルミニウム箔シート等の波形金属箔シートからなる。米国特許第３，９１４，１１６号明細書に、波形インサートスペーサのいくつかの例が開示されている。波形インサートスペーサは、数多くの態様のいずれかで構成されてもよい。例えば、波形スペーサは、穿孔されても穿孔されなくてもよい。波形３３は、例えば、正弦波または方形波の形状等の波形状を含む様々な形状を有するものとすることができる。多くの実施形態において、波形は、略鋸波形または三角波形である。インサートスペーサ３１の波形は、長手方向に延びる山頂２４および谷底２５に対して略垂直に延びてもよく、および／または、上流側スペーサ構成体３０の任意の平行ビード３２に対して略平行に延びてもよい。波形の波高値は、任意の所望の値を有するものとすることができる。多くの実施形態において、波形の波高値は、約０．０５インチ以下から約０．５０インチ以上までの範囲のものである。ひだの波高値が小さいほど、下流側表面２２の互いに隣接するひだ脚部２６間の間隔が小さくなり、ひだ２３の数およびフィルタ媒体１５の表面積が増大する。結果的に、多くの実施形態が、０．０７インチ〜０．１２インチの範囲のひだ波高値を有する。隣接する波形の距離も任意の所望の値を有してもよい。多くの実施形態において、隣接する波形間の距離は、約０．０６インチ以下から約０．２５インチ以上までの範囲、例えば、約０．１２５インチとすることができる。フィルタパック２０の差圧に関連する力に対してひだ脚部２６を良好に支持するために、下流側２２の波形スペーサ３１の互いに隣接する波形間の距離は、上流側２１のスペーサ構成体３０の互いに隣接するビード３２間の距離未満であってもよい。例えば、互いに隣接する波形間の距離は、互いに隣接するビード３２間の距離の約２分の１以下、または約５分の１以下、または約１０分の１以下とすることができる。
【００１６】
[0018]本発明を具現化したガスフィルタアセンブリにより多くの利点が得られる。例えば、フィルタパックの上流側表面にある固化接合材料を含むスペーサ構成体は、フィルタパックの上流側表面にあるひだの深くに大きなガス流チャネルを形成することができる。これらの大きなガス流チャネルにより、サブミクロンの塵粒子から長い織物繊維までの広範囲の粒子汚染物質が、ひだの山頂から谷底へフィルタパックの上流側表面全体に接触し、より均等に負荷がかけられる。このようなフィルタパックの均等な負荷により、フィルタパックの汚れ保持力が上がり、フィルタパックの差圧の増大が低速化する。結果的に、交換時期の間隔は大幅に延びる。さらに、フィルタパックの下流側表面のインサートスペーサは、フィルタパックに高い剛性を与える。上流側表面にあるスペーサ構成体の固化接合材料によって与えられるより大きなガス流チャネルは、インサートスペーサによって下流側にしっかりと支持されることで、フィルタパックの増大する差圧に関連する力からのフィルタパックの歪みおよび／または破裂が防止される。結果的に、本発明を具現化したガスフィルタアセンブリにより、フィルタパックの構造的完全性を高めることによって信頼性が高められ、フィルタパックの耐用寿命を延長することによって休止時間および無駄が減る。
【実施例】
【００１７】
[0019]この例は、本発明を具現化したガスフィルタアセンブリの優位性を示すものである。
【００１８】
[0020]同じ上流側表面積（１１０平方フィート）に同じ繊維フィルタ媒体を各々が有する３つのガスフィルタアセンブリ（ＧＦＡ  I〜III）を作製した。ＧＦＡ  Iは、繊維フィルタ媒体を有するひだ付きフィルタパックと、フィルタパックの上流側表面にある互いに隣接するひだ脚部間に固化接合材料を含むスペーサ構成体と、フィルタパックの下流側表面にある互いに隣接するひだ脚部間のインサートスペーサとを含むガスフィルタを収容するハウジングを有する。ＧＦＡ  IIは、繊維フィルタ媒体を有するひだ付きフィルタパックと、フィルタパックの上流側表面にある互いに隣接するひだ脚部間に固化接合材料を含むスペーサ構成体と、フィルタパックの下流側表面にある互いに隣接するひだ脚部間に固化接合材料を含むスペーサ構成体とを含むガスフィルタを収容するハウジングを有する。ＧＦＡ  IIIは、繊維フィルタ媒体を有するひだ付きフィルタパックと、フィルタパックの上流側表面にある互いに隣接するひだ脚部間のインサートスペーサと、フィルタパックの下流側表面にある互いに隣接するひだ脚部間のインサートスペーサとを含むガスフィルタを収容するハウジングを有する。ＧＦＡ  I〜IIIのフィルタパックのハウジングおよびひだは同様に構成される。ＧＦＡ  IおよびIIのスペーサ構成体は同様に構成され、固化接合材料の平行ビードを含む。ＧＦＡ  IおよびIIIのインサートスペーサは同様に構成され、波形インサートスペーサを含む。
【００１９】
[0021]各ガスフィルタアセンブリは、同じフィルタ試験装置で試験された。同じ濃度のＩＳＯ  Ｆｉｎｅ  Ｔｅｓｔ  Ｄｕｓｔ（ＩＳＯ規格ＩＳＯ１２１０−Ａ３）を含有する同じガスは、同じ流量で各ガスフィルタアセンブリを通して方向付けられる。各ガスフィルタアセンブリを通る流れは、同じ終端差圧で終端することとした。各ガスフィルタアセンブリの汚れ保持力は、清浄なガスフィルタアセンブリの重量と、終端差圧に達するとフィルタ試験装置から除去されるガスフィルタアセンブリの重量とを比較することによって決定される。
【００２０】
[0022]本発明を具現化したＧＦＡ  Iは、２４１３グラムのＩＳＯテストダストを捕捉し保持した。ＧＦＡ  IIが捕捉し保持したのは、２０００グラムのＩＳＯテストダストのみであり、ＧＦＡ  IIIが捕捉し保持したのは１９９９グラムのＩＳＯテストダストのみであった。結果的に、ＧＦＡ  Iは、ＧＦＡ  IIまたはＧＦＡ  IIIより２１％高い汚れ保持力を有した。ＧＦＡ  Iの高い汚れ保持力は、ＧＦＡ  IIまたはＧＦＡ  IIIのいずれかよりＧＦＡ  Iの耐用寿命が長くなることに相関関係がある。
【符号の説明】
【００２１】
１０…ガスフィルタアセンブリ、１１…ハウジング、１２…ガスフィルタ、１３…ガス入口、１４…ガス出口、１５…ひだ付きフィルタ媒体、１６…フレーム、２０…ひだ付きフィルタパック、２１…上流側表面、２２…下流側表面、２３…ひだ、２４…山頂、２５…谷底、２６…ひだ脚部、３０…スペーサ構成体、３１…インサートスペーサ、３２…ビード、３３…波形。
【図１】
0005884123.tif 000002
【図２】
0005884123.tif 000003
【図３】
0005884123.tif 000004